(57)【要約】【課題】所望の形状の氷結物を形成することができる氷結性内容物用の吐出部材、吐出装置およびエアゾール製品を提供する。【解決手段】エアゾールバルブ１２に装着され、吐出口１８を有する基部１３と、前記基部１３から突出し、吐出口１８から半径方向に離れた位置に、吐出口１８を囲むように設けられている複数の制御部１４とを備えており、吐出口１８の中心部から制御部までの距離ｒと、吐出口から制御部の先端までの高さｈの比（ｈ／ｒ）が０．５〜５である吐出部材１０。吐出部材１０と、吐出部材１０を装着したエアゾール容器１１と、そのエアゾール容器１１に充填された、吐出後に氷結する氷結性内容物とからなるエアゾール製品。【選択図】図１
2017214136.tif 000002
【特許請求の範囲】
【請求項１】
エアゾールバルブに装着され、吐出口を有する基部と、
前記基部から突出し、吐出口から半径方向に離れた位置に、吐出口を囲むように設けられている複数の制御部とを備えており、
吐出口の中心部から制御部までの距離ｒと、吐出口から制御部の先端までの高さｈの比（ｈ／ｒ）が０．５〜５である、氷結性内容物用の吐出部材。
【請求項２】
前記制御部が棒状であり、互いに間隔をあけて環状に配列されている請求項１記載の吐出部材。
【請求項３】
前記エアゾールバルブと基部との間に、吐出する前の内容物を一定量貯留する貯留室を備えている、
請求項１又は２記載の吐出部材。
【請求項４】
請求項１から３のいずれかに記載の吐出部材と、前記吐出部材の外周を覆うカバー部材を備えている、吐出装置。
【請求項５】
前記カバー部材が、吐出操作により弾性変形する支持部を備えている、
請求項４に記載の吐出装置。
【請求項６】
請求項１〜３のいずれかに記載の吐出部材又は請求項４若しくは５記載の吐出装置と、吐出部材を装着したエアゾール容器と、そのエアゾール容器に充填された、吐出後に氷結する氷結性内容物とからなるエアゾール製品。
【発明の詳細な説明】
【技術分野】
【０００１】
本発明は、氷結性内容物用の吐出部材に関し、さらにその吐出部材を備えた吐出装置及びエアゾール製品に関する。
【背景技術】
【０００２】
特許文献１には、特定の氷結性内容物を、特定の大きさの吐出孔（比較的大きな吐出孔）から吐出することで、立体的な氷結物が得られるエアゾール製品が開示されている。
また、特許文献２には、特定の氷結性内容物を、特定の噴射量で、特定の大きさおよび長さの噴射孔から噴射することで、対象物上で平面状の氷結物を形成することができるエアゾール製品が開示されている。
【先行技術文献】
【特許文献】
【０００３】
【特許文献１】特許第４９７１７１３号公報
【特許文献２】特許第５６１２９１４号公報
【発明の概要】
【発明が解決しようとする課題】
【０００４】
ところで、特許文献１、２のエアゾール製品はいずれも、氷結物の形状を制御しようというものではなく、吐出孔（噴射孔）から吐出された氷結性内容物をそのまま対象物に付着させている。そのため、得られる氷結物の形状は、吐出孔の形状に沿った形状、例えば円板状に限られていた。
【０００５】
そこで、本発明は、所望の形状の氷結物を形成することができる氷結性内容物用の吐出部材、吐出装置およびエアゾール製品を提供することを課題としている。
【課題を解決するための手段】
【０００６】
本発明の氷結性内容物用の吐出部材は、エアゾールバルブ１２に装着され、吐出口１８を有する基部１３と、前記基部１３から突出し、吐出口１８から半径方向に離れた位置に、吐出口１８を囲むように設けられている複数の制御部１４とを備えており、吐出口１８の中心部から制御部までの距離ｒと、吐出口から制御部の先端までの高さｈの比（ｈ／ｒ）が０．５〜５であることを特徴としている。
【０００７】
このような吐出部材においては、制御部１４が棒状であり、互いに間隔をあけて環状に配列されていても良い。
また、エアゾールバルブ１２と基部１３との間に、吐出する前の内容物を一定量貯留する貯留室Ｅを備えているものが好ましい。
【０００８】
本発明の吐出装置は、前記いずれかに記載の吐出部材と、吐出部材の外周を覆うカバー部材２５、３０を備えている。カバー部材３０は、吐出操作により弾性変形する支持部３３ａを備えているものが好ましい。
【０００９】
本発明のエアゾール製品は、前記いずれかに記載の吐出部材又は吐出装置と、吐出部材を装着したエアゾール容器１１と、そのエアゾール容器１１に充填された、吐出後に氷結する氷結性内容物とからなることを特徴としている。
【発明の効果】
【００１０】
本発明の吐出部材は、制御部の先端を対象物に押し付けて氷結性内容物を吐出すると、吐出口の中心部から制御部までの距離ｒと吐出口から制御部の先端までの高さｈを特定の比にしているため、吐出口から吐出された吐出物は、全量がそのまま対象物に付着するのではなく、制御部の間を通って放射状に拡がる（一部が制御部によって遮られる）こととなり、対象物の表面に雪の結晶、花、星などの形状の氷結物を形成することができる。
【００１１】
このような吐出部材においては、制御部が棒状であり、互いに間隔をあけて環状に配列されていれば、吐出口を中心とし放射状に拡がる氷結物を形成することができる。
エアゾールバルブと基部との間に、吐出する前の内容物を一定量貯留する貯留室を備えている場合は、氷結性内容物の吐出量が一定となるため、所定の形状の氷結物を安定して得ることができる。
【００１２】
本発明の吐出装置は、吐出部材の外周を覆うカバー部材を備えているため、制御部の間を通って対象物に対して略水平方向に勢いよく拡がる氷結性内容物の飛び散りを抑制することができる。
カバー部材が、吐出操作により弾性変形する支持部を備えている場合は、吐出操作を行う、すなわち制御部の先端を対象物に押し付けると、吐出部材よりも外周側に位置するカバー部材も対象物に接触することになり、制御部のみを対象物に押し付ける場合に比べて安定した押し付けが可能となる（押し付け角度が一定となる）。また、押し付けによって支持部が撓む結果、押し付けを緩めると支持部の弾発力（元の形状に戻ろうとする力）により、吐出部材が自ずと持ち上げられるため、常に同じ吐出操作を行うことが可能となり、所定の形状の氷結物を安定して得ることができる。
【００１３】
本発明のエアゾール製品は、前記いずれかに記載の吐出部材を備えているので、対象物の表面に所定の形状の氷結物を形成しやすい。
【図面の簡単な説明】
【００１４】
【図１】図１ａは本発明の吐出部材の一実施形態の使用状態を示す断面図、図１ｂはその吐出部材を吐出した氷結物とともに示す平面図、図１ｃはその吐出部材の斜視図である。
【図２】図２ａは本発明の吐出部材の他の実施形態をエアゾール容器に取り付けた状態を示す断面図、図２ｂおよび図２ｃはそれぞれ図２ａの吐出部材の使用状態を示す断面図である。
【図３】図３ａは本発明の吐出部材のさらに他の実施形態をエアゾール容器に取り付けた状態を示す断面図、図３ｂはその吐出部材を吐出した氷結物とともに示す平面図である。
【図４】図４は本発明の吐出部材のさらに他の実施形態をエアゾール容器に取り付けた状態を示す断面図である。
【図５】図５ａおよび図５ｂはそれぞれ図４の吐出部材の使用状態を示す断面図である。
【図６】図６ａ、図６ｂ、図６ｃ及び図６ｄはそれぞれ本発明の吐出部材から吐出した氷結物の実施例を示す写真である。
【発明を実施するための形態】
【００１５】
本発明の吐出部材１０は、氷結性内容物を充填したエアゾール容器１１に装着されることでエアゾール製品を構成している。また、本発明のエアゾール製品では、吐出操作により氷結性内容物を吐出部材１０から吐出することで、所望の形状の氷結物を得ることができる。
以下、各構成部材や所望の形状の氷結内容物が得られる仕組みについて詳細に説明する。
【００１６】
吐出部材１０は、図１に示すように、吐出口１８を有する基部１３と、基部１３から突出し、吐出口１８から半径方向に離れた位置に、かつ吐出口１８を囲むように設けられている複数の制御部１４とを備えている。
【００１７】
基部１３は、その下面側の中心に、エアゾールバルブ１２のステム１５に装着される装着部１６が設けられている。また、下面側の周縁には使用者の指などを保護する円筒状のスカート１７が設けられている。そのため、基部１３の形状は全体として略円筒状である。また、基部１３の中心には円形の吐出口１８が形成されている。この吐出口１８は、吐出口１８を下方に延長してなる通路１４ａおよび通路下端に設けられた墳孔１４ｂを介してステム１５と連通している。
【００１８】
制御部１４は棒状、具体的には図１ｃに示すように細長い円柱状であって、全部で８本、吐出口１８の周りに円周方向等間隔で環状に配列されている。また、制御部１４は、吐出口１８の中心部から制御部１４の内縁（半径方向内側の端部）までの距離をｒ、吐出口１８から制御部１４の先端までの高さ（制御部１４の基部１３からの突出長さ）をｈとした場合、その比（ｈ／ｒ）が０．５〜５となるように設けられている。距離ｒに対して高さｈが低くなって比（ｈ／ｒ）が０．５より小さくなると、吐出口１８から吐出された吐出物のほとんどが制御部１４に当たることなく対象物Ｔに直接付着することとなり、所望の形状を得難くなるためである。また、距離ｒに対して高さｈが高くなり、比（ｈ／ｒ）が５を超えると、対象物Ｔまで吐出物が届き難くなり、さらに、距離ｒが小さく、比（ｈ／ｒ）が５を超えると、制御部１４に当たった吐出物が制御部１４の裏側にまで完全に回り込み、制御部１４によって分断された吐出物同士が再びくっつき合い、所望の形状を得難くなるためである。
【００１９】
なお、図１に示す吐出部材１０では、距離ｒが９ｍｍとされ、高さｈが９ｍｍとされている。ただ、これに限られるものではなく、距離ｒは例えば２〜２０ｍｍ、高さｈは例えば５〜３０ｍｍの範囲で適宜変更可能である。
また、制御部１４の幅（直径）は例えば１〜４ｍｍとすることが好ましい。なお、制御部１４の断面形状としては、円形の他、矩形状、半径方向外側の厚さを厚くした三角形や扇形など、他の形状を採用することができる。また、本数にしても、８本に限られない。但し、制御部１４の先端を対象物Ｔに安定して当接させる観点から言えば３本以上とする、または幅広の制御部１４を用いることが好ましい。
【００２０】
上記構成の吐出部材１０はたとえばポリエチレン、ポリプロピレン、ポリアセタールなどの合成樹脂から射出成形することにより、製造することができる。
【００２１】
吐出部材１０が用いられるエアゾール容器１１は、有底筒状の容器本体１１ａにエアゾールバルブ１２を取り付けたものであり、内部に氷結性内容物が充填されている。
【００２２】
＜第１の氷結性内容物＞
第１の氷結性内容物は、界面活性剤を含有する水性原液と液化ガスとからなり、水性原液と液化ガスとがエアゾール容器内で乳化しているものが挙げられる。
【００２３】
前記界面活性剤は、エアゾール容器１１内では水性原液と液化ガスを乳化させ、外部に吐出されると液化ガスの気化熱を水性原液に伝わりやすくして氷結物を形成しやすくするなどの目的で用いられる。
界面活性剤としては、たとえば、非イオン性界面活性剤、陰イオン性界面活性剤、陽イオン性界面活性剤、両性界面活性剤、シリコーン系界面活性剤、アミノ酸系界面活性剤などが挙げられる。
特に、ポリオキシエチレンソルビタン脂肪酸エステル、ポリオキシエチレンポリオキシプロピレンアルキルエーテル、ポリオキシエチレングリセリン脂肪酸エステル、ポリオキシエチレン硬化ヒマシ油、ポリオキシエチレンアルキルエーテル、ポリエチレングリコール脂肪酸エステル、ポリグリセリン脂肪酸エステル、ポリオキシエチレングリセリン脂肪酸エステル、ポリオキシエチレンソルビット脂肪酸エステルなどのＨＬＢが１０〜１９、好ましくは１１〜１８である非イオン性界面活性剤が好適に用いられる。
【００２４】
前記水性原液には、有効成分、アルコール類、水溶性高分子、油分、パウダーなどを含有してもよい。
【００２５】
前記有効成分は、製品の用途や目的などにより適宜選択されて用いられる。有効成分としては、たとえば、ｌ−メントール、カンフルなどの清涼剤、アラントインヒドロキシアルミニウム、クエン酸、乳酸などの収斂剤、アラントイン、グリチルレチン酸、グリチルリチン酸ジカリウムなどの抗炎症剤、塩酸ジブカイン、塩酸テトラカイン、リドカイン、塩酸リドカインなどの局所麻酔剤、ジフェンヒドラミン、塩酸ジフェンヒドラミン、マレイン酸クロルフェニラミンなどの抗ヒスタミン剤、パラオキシ安息香酸エステル、安息香酸ナトリウム、フェノキシエタノール、塩化ベンザルコニウム、塩化ベンゼトニウムなどの殺菌・消毒剤、エチレングリコール、プロピレングリコール、グリセリン、１，３−ブチレングリコール、コラーゲン、キシリトール、ソルビトール、ヒアルロン酸、ｄｌ−ピロリドンカルボン酸塩、レシチン、尿素などの保湿剤、クロタミトン、ｄ−カンフルなどの鎮痒剤、サリチル酸メチル、インドメタシン、ピロキシカム、フェルビナク、ケトプロフェンなどの消炎鎮痛剤、オキシコナゾール、クロトリマゾール、スルコナゾール、ビフォナゾール、ミコナゾール、イソコナゾール、エコナゾール、チオコナゾール、ブテナフィン、およびこれらの塩酸塩、硝酸塩、酢酸塩などの抗真菌剤、ラウリル酸メタクリレート、安息香酸メチル、フェニル酢酸メチル、ゲラニルクロトレート、ミリスチン酸アセトフェノン、酢酸ベンジル、プロピオン酸ベンジルなどの消臭剤、Ｎ，Ｎ−ジエチル−ｍ−トルアミド（ディート）、カプリル酸ジエチルアミドなどの害虫忌避剤、パラメトキシケイ皮酸２−エチルヘキシル、エチルヘキシルトリアゾン、オキシベンゾンなどの紫外線吸収剤、酸化亜鉛、酸化チタンなどの紫外線散乱剤、レチノール、酢酸レチノール、パルミチン酸レチノール、パントテン酸カルシウム、アスコルビン酸、アスコルビン酸ナトリウム、ｄｌ−α−トコフェロール、酢酸トコフェロール、トコフェロールおよびこれらの混合物などのビタミン類、ジブチルヒドロキシトルエンなどの酸化防止剤、シャクヤクエキス、ヘチマエキス、バラエキス、レモンエキス、アロエエキス、ショウブ根エキス、ユーカリエキス、セージエキス、茶エキス、海藻エキス、プラセンタエキス、シルク抽出液などの抽出液、アルブチン、コウジ酸などの美白剤、天然香料、合成香料などの各種香料、などが挙げられる。
【００２６】
前記アルコール類は、有効成分の溶媒として、また、氷結状態を調整するなどの目的で用いられる。アルコール類としては、たとえば、エタノール、イソプロパノールなどの炭素数が２〜３個の１価アルコールが挙げられる。
【００２７】
前記水溶性高分子は、水性原液の粘度や凝固点を調整し、氷結状態を調整するなどの目的で用いられる。水溶性高分子としては、たとえば、キサンタンガム、カラギーナン、アラビアゴム、トラガントゴム、カチオン化グアガム、グアガム、ジェランガム、ローカストビーンガムなどのガム質、ヒドロキシエチルセルロース、ヒドロキシプロピルセルロース、ヒドロキシプロピルメチルセルロース、カルボキシメチルセルロースナトリウムなどのセルロース系高分子、カルボキシビニルポリマーなどが挙げられる。
水溶性高分子を用いる場合、水性原液の粘度を２〜２００００（ｍＰａ・ｓ）に調製することで、氷結物の状態を調整しやすい。
【００２８】
前記油分は、皮膚などの対象物を保湿する、艶を出す、氷結状態を調整するなどの目的で用いられる。油分としては、たとえば、流動パラフィン、スクワレン、スクワラン、イソパラフィンなどの炭化水素油、アジピン酸ジイソプロピル、ミリスチン酸イソプロピル、パルミチン酸イソプロピル、オクタン酸セチル、ミリスチン酸オクチルドデシル、コハク酸ジエトキシエチル、リンゴ酸ジイソステアリル、ジネオペンタン酸メチルペンタンジオール、ジネオペンタン酸ジエチルペンタンジオールなどのエステル油、ジメチルポリシロキサン、オクタメチルシクロテトラシロキサン、デカメチルシクロペンタシロキサン、ドデカメチルシクロヘキサシロキサン、メチルシクロポリシロキサンなどのシリコーンオイル、ラウリン酸、ミリスチン酸、パルミチン酸、ステアリン酸、オレイン酸などの脂肪酸、ラウリルアルコール、ミリスチルアルコール、セチルアルコール、ステアリルアルコール、ベヘニルアルコール、ラノリンアルコールなどの高級アルコール、アボガド油、マカダミアナッツ油、シア脂、オリーブ油、ツバキ油などの油脂、ミツロウ、ラノリンロウなどのロウ類などが挙げられる。
【００２９】
前記パウダーは、水性原液と液化ガスとを乳化しやすくする、使用感を向上させるなどの目的で用いられる。パウダーとしては、たとえば、タルク、酸化亜鉛、カオリン、炭酸マグネシウム、炭酸カルシウム、ケイ酸亜鉛、ケイ酸マグネシウム、ケイ酸アルミニウム、ケイ酸カルシウム、シリカ、ゼオライト、ナイロンパウダーなどが挙げられる。
【００３０】
液化ガスは、エアゾール容器１１内では蒸気圧を有する液体であり、原液と乳化物を形成しており、外部に噴射されると気化して原液を冷却し、氷結物を形成する。前記液化ガスとしては、たとえば、プロパン、ブタン、ペンタンなどの炭素数が３〜５の炭化水素、ハイドロフルオロオレフィン、ジメチルエーテルおよびこれらの混合物などが用いられる。
【００３１】
上記構成の氷結性内容物は、原液と液化ガスを容器本体１１ａに充填し、エアゾールバルブ１２を取り付けて容器本体１１ａ内で乳化させることにより調製することができる。
配合としては、水性原液が５〜５０質量％であり、液化ガスが５０〜９５質量％、さらには、原液が１０〜４０質量％であり、液化ガスが６０〜９０質量％であることが好ましい。液化ガスが５０質量％より少ないと、水性原液が氷結しにくくなり、所定の形状に成形できない傾向がある。一方、液化ガスが９５質量％より大きいと、形成される氷結物の量が少なく、所定の形状に成形できない傾向がある。なお、吐出時の勢いを調整して氷結物の状態を調整するなどの目的で炭酸ガス、亜酸化窒素、窒素等の圧縮ガスを配合してもよい。
【００３２】
＜第２の氷結性内容物＞
第２の氷結性内容物は、前述のアルコール類の含有量が０〜１０質量％である水性原液とジメチルエーテルとからなり、水性原液とジメチルエーテルとが溶解しているものが挙げられる。水性原液には、氷結状態を阻害しない範囲で前述の有効成分、界面活性剤、水溶性高分子、油分、パウダーなどを配合することができる。
【００３３】
この第２の氷結性内容物は、水性原液が０．５〜２５質量％であり、ジメチルエーテルが７５〜９９．５質量％、さらには、水性原液が１〜１５質量％であり、ジメチルエーテルが８５〜９９質量％であることが好ましい。ジメチルエーテルが７５質量％より少ないと、水性原液が氷結しにくくなり、所定の形状に成形できない傾向がある。一方、ジメチルエーテルが９９．５質量％より大きいと、形成される氷結物の量が少なく、所定の形状に成形できない傾向があるためである。
【００３４】
上記のごとく構成されるエアゾール製品を使用するには、図１ａに示すように、制御部１４の先端にティシュペーパーなどの紙製品や、ハンカチ、タオルなどの織布、コットン、ペーパータオル、汗拭きシートなどの不織布などの吸水性を有する対象物Ｔを被せ、上から手のひらなどで下方に押しつける。それにより、エアゾールバルブ１２が開き、ステム１５を経由して吐出口１８から内容物が放射状に吐出され、内容物（吐出物）が対象物Ｔに向かって飛散する。この際、吐出物の一部は制御部１４に当たり、飛散が遮られる。制御部１４によって遮られなかった吐出物は、制御部１４の間を通って放射状に広がりながら、対象物Ｔの表面に付着する。また、吐出の勢いによって対象物Ｔの表面に沿って半径方向外向きに流れる。このとき、制御部１４の裏側となる部分にもある程度吐出物が回り込む。
【００３５】
内容物をある程度吐出させた後、吐出部材１０への対象物Ｔの押し付けをやめて、対象物Ｔをエアゾール製品から離す。内容物は、吐出された直後または対象物Ｔに付着してしばらくしてから氷結し、対象物Ｔの表面に氷結物として残る。この実施形態では制御部１４が８本、周方向等間隔で配列されているため、氷結物は、図１ｂに示すように、８弁の花びらを有する花のような形態となって対象物Ｔに付着する。なお、例えば制御部１４が５本であれば、櫻の花のような５弁の花が得られる。また、対象物Ｔが粗面である方が、きれいな形状を得られ易い。
【００３６】
このように上記構成の吐出部材１０によれば、吐出口１８から放射状に吐出された吐出物の全てがそのまま軌道を変えることなく飛散し、直接、対象物Ｔの表面に付着するのではなく、吐出物の少なくとも一部が制御部１４の影響を受けながら（遮られたり、進路を変えたりしながら）対象物Ｔの表面に付着することになるため、所望の形状の氷結物を得ることができる。
【００３７】
次に、他のエアゾール製品について説明する。図２に示すエアゾール製品は、吐出部材２０が定量ユニット２１を備えている点で、図１のエアゾール製品とは異なる。
【００３８】
定量ユニット２１は、略円筒状の筒体２２と、筒体２２内を摺動可能に設けられる弁体２３と、筒体２２と弁体２３とを離間させる方向に付勢する弾性体２４とから構成されている。
【００３９】
筒体２２は、平面視円板状の上底部２２ａと、上底部２２ａの上面から上方に突出し、基部１３の装着部２３ａに装着される円筒状の接続部２２ｂと、上底部２２ａの下面から下方に突出する円筒状の環状突起部２２ｃと、上底部２２ａの外周から下方に向かって延びる円筒状の側壁部２２ｄとを備えており、全体としては上方が閉塞され下方が開口した円筒状である。
この筒体２２は、下方の開口が弁体２３によって塞がれている。なお、側壁部２２ｄの下端には、弁体２３からの抜け止めとして、返し２２ｅが設けられている。
【００４０】
弁体２３は、ステム１５に装着される円筒状の装着部２３ａと、装着部２３ａの上方から半径方向外側に向かって延出され、筒体２２の側壁部２２ｄの内面に摺動可能に当接する、平面視円板状のフランジ部２３ｂと、装着部２３ａから上方に突出する円錐状の突起部２３ｃとを備えている。装着部２３ａから突起部２３ｃにかけては、ステム１５と連通する連通路２３ｄが設けられている。この連通路２３ｄは略Ｔ字状であって、突起部２３ｃの側面に開口している。
【００４１】
弾性体２４は、例えばコイルバネであって、一端が筒体２２の環状突起部２２ｃに当接し、他端が弁体２３の突起部２３ｃの外周側に当接している。そして、定常時においては、筒体２２の環状突起部２２ｃと弁体２３の突起部２３ｃとの間に隙間が形成されるように（ステム１５と吐出口１８とが連通するように）、上底部２２ａとフランジ部２３ｂとを互いに離間させる方向（上下方向）に付勢している。
【００４２】
上記構成の定量ユニット２１は、制御部１４の先端が対象物Ｔに押し付けられると、それに伴い筒体２２が弾性体２４の弾性力に抗して下方に移動し、筒体２２の環状突起部２２ｃが弁体２３の突起部２３ｃに当接しシールを形成する。この状態でさらに押し込まれると、エアゾールバルブ１２が開放され、ステム１５から内容物が吐出し、筒体２２の内面及び弁体２３の上面とで構成された空間（貯留室Ｅ）に一定量の内容物が貯留される（図２ｂ参照）。そして、押し込みが解除されると、エアゾールバルブ１２が閉じる。他方、弾性体２４の反発力や内容物に含まれるガスの圧力によって筒体２２が持ち上げられ、筒体２２の環状突起部２２ｃと弁体２３の突起部２３ｃとの間に隙間が形成されて、貯留室Ｅに貯留されていた内容物がこの隙間を介して吐出口１８から外部に吐出される（図２ｃ参照）。
【００４３】
このように、吐出部材２０が定量ユニット２１を備えていれば、使用者による使い方に影響されることなく、氷結性内容物の吐出量が常に一定となる。そのため、所定の形状や大きさの氷結物を安定して得ることができる。
【００４４】
また、本エアゾール製品は、吐出部材２０の外周にカバー部材２５を備えている（吐出部材２０とカバー部材２５とからなる吐出装置を備えている）点でも、図１のエアゾール製品とは異なる。
【００４５】
カバー部材２５は、エアゾール容器１１の上部に装着される円筒状の肩カバー２６と、肩カバー２６に着脱可能に外嵌される円筒状のキャップ２７とから構成されている。なお、肩カバー２６の先端は、制御部１４の先端よりも下方に位置している。また、キャップ２７の上底部２７ａは、中央部が下方に向かって突出している。ただ、肩カバー２６に取り付けられた状態において制御部１４の先端に当接してはいない。
【００４６】
カバー部材２５を備えたエアゾール製品は、以下のようにして使用される。まず、キャップ２７を肩カバー２６から外し、制御部１４の先端にコットンなどの対象物Ｔを載置する。そして、キャップ２７を対象物Ｔに被せるようにして肩カバー２６に取り付け、下方に押し込む。すると、上記の通り、定量ユニット２１の貯留室Ｅに内容物が一時的に貯留される。押し込みをやめると、貯留室Ｅに貯留されていた内容物が吐出口１８から吐出され、対象物Ｔの表面に付着する。この際、肩カバー２６及びキャップ２７によって基部１３や制御部１４の外周が覆われているため、吐出物の外部への飛び散りを防止することができる。なお、仮にキャップ２７を使わず、制御部１４に載せたコットンを手のひらなどで下方に押し込んだ場合でも、肩カバー２６の内周面が防護壁となって吐出物の飛び散りは抑制される。吐出後は、キャップ２７を再び外し、コットンを取り出す。なお、本エアゾール製品の吐出部材２０は、基部１３の表面から吐出口１８の周囲が僅かに突出している（ノズルを形成している）が、吐出口１８の中心部から制御部１４までの距離ｒと、吐出口１８から制御部１４の先端までの高さｈの比（ｈ／ｒ）が０．５〜５であるため、所望の形状の氷結物を得ることができる。
【００４７】
次に、さらに他のエアゾール製品について説明する。図３に示すエアゾール製品は、カバー部材３０が肩カバー３１のみからなり、肩カバー３１が、主として吐出物の飛び散りを防止する防護壁３２と、エアゾール製品を対象物Ｔに押し付ける際に安定した押し付けを可能とするための支持壁３３とを有していることに特徴を有する。
【００４８】
防護壁３２は円筒状であって、基部１３及び制御部１４の外周を囲むようにして設けられている。また、防護壁３２の先端は、制御部１４の先端よりも低い位置にあり、吐出部材３５の押し込みを阻害しないようになっている。
【００４９】
支持壁３３も円筒状であり、防護壁３２の外周を囲むようにして設けられている。また、支持壁３３は、その先端側が波型に切り欠かれ、仮想線で示すように弾性変形可能とされた支持部３３ａが複数形成されている。この支持部３３ａの先端は、制御部１４の先端よりも高い位置にある。ただ、同じ高さにあっても良い。なお、防護壁３２と支持壁３３とは円板状の底板３４によって下端同士が連結されている。そして、支持壁３３の基端がエアゾール容器１１の上端外周に固着されている。
【００５０】
上記構成のカバー部材３０を備えたエアゾール製品では、支持壁３３の先端を対象物Ｔに押し当てる際に、制御部１４よりも外周側に位置する支持壁３３も対象物Ｔに押し当てられるため、制御部１４のみを押し当てる場合に比べて、押し当て角度が安定する。また、制御部１４を押し込むには、支持壁３３の先端である支持部３３ａを撓ませる必要があるが、支持部３３ａを外側に撓ませれば、その分より安定する（図５ａに支持部３３ａが撓んだ状態を開示している）。さらに撓んだ支持部３３ａが元の形状に戻ろうとするため、押し込みを緩めれば、自ずと制御部１４が対象物Ｔから離れることになる（図５ｂ参照）。このように、支持部３３ａの弾性力に任せて吐出操作をやめれば、操作途中で吐出角度が傾いたりすることが無くなり、所望の形状の氷結物を安定して得ることができる。
【００５１】
なお、本エアゾール製品の吐出部材３５は、制御部１４が６本とされているが、吐出口１８の中心部から制御部１４までの距離ｒが３ｍｍ、制御部１４の高さｈが８ｍｍであり、その比（ｈ／ｒ）は２．６７であって０．５〜５の範囲に含まれている。そのため、氷結物は、図３ｂに示すように、雪の結晶のような所望の形態となって対象物Ｔに付着する。
【００５２】
図４及び図５は、さらに他のエアゾール製品を示している。図４に示すエアゾール製品は、吐出部材４０が定量ユニット２１を備えている点に特徴を有する。このように、定量ユニット２１を備えていれば、支持部３３ａの効果と相まってより安定して所望の形状の氷結物を得ることができる。
すなわち、支持部３３ａによって、対象物Ｔの表面から吐出口１８までの距離や吐出角度が一定とされ、定量ユニット２１によって吐出される内容物の量が一定とされるため、使用者の吐出操作の巧拙に関わらず、常に同様の形状をした氷結物が得られるのである（図５ａ、ｂ参照）。従って、使用者は押し込みを止めるタイミングを見計らったり、押し付ける角度を気にしたりする必要が無く、スタンプを押すかのように気軽に吐出操作をすることができる。
【００５３】
なお、上記複数の実施形態について説明したが、同様の構成については同符号を付し具体的な説明は省略している。
【００５４】
図６は、実際に形成した氷結物の写真である。
図６ａの氷結物は、図１とほぼ同様の８本の制御部１４を有する吐出部材によって形成したものである。内容物は第２の氷結性内容物である。吸水性を有する対象物Ｔに吐出すると、水性原液（水）と溶解していたジメチルエーテルが対象物Ｔに吸収されてゆっくりと気化し、吐出直後は氷結しない（左の写真を参照）が、数秒後に氷結物を形成する（右側の写真を参照）。氷結物の形状は、８弁の花びらを有する花を呈している。特に、制御部１４の裏側にやや回り込むようにして氷結物が形成され、さらに氷結物の半径方向外側の端部が丸みを帯びているため、より花びららしい形態となっている。
【００５５】
図６ｂの氷結物は、図１とほぼ同様の８本の制御部１４を有する吐出部材によって形成したものである。内容物は、第１の氷結性内容物であって、ＨＬＢが１２〜２０の親水性界面活性剤を含有した水性原液と、ジメチルエーテルを２５〜５５質量％、液化石油ガスを２〜３５質量％配合している。この内容物では、図に示すように、対象物Ｔの表面で発泡し、その後、泡が氷結してアイスクリーム状に変化する氷結物が得られる。
【００５６】
図６ｃの氷結物も、図１とほぼ同様の８本の制御部１４を有する吐出部材によって形成したものである。内容物は、第１の氷結性内容物であって、カラギーナンのように液化ガスの乳化保持力の高い水溶性高分子が配合されている。この内容物では、図に示すように、ジェル状に吐出された吐出物が若干発泡してから氷結し、立体的な氷結物が得られる。
【００５７】
図６ｄの氷結物は、図３とほぼ同様の６本の制御部１４を有する吐出部材によって形成したものである。内容物は、第１の氷結性内容物であって、ＨＬＢが１２〜１８の親水性界面活性剤を含有した水性原液と、液化石油ガスを７０〜８０質量％配合している。対象物は化粧用パフとしている。図に示すように、制御部１４の裏側にまで氷結物が回り込んでいるため、中央部分の外周に沿って６個の円が形成されている。そして円の間から放射状に菱形が延出されているため、雪の結晶を模したような形態となっている。
【００５８】
このように、本発明の吐出部材で氷結性内容物を吐出させると、興趣に富む形態の氷結物を得ることができる。
【００５９】
以上に、この発明の代表的な実施形態について説明したが、この発明は上記実施形態に限定されるものではなく、この発明の範囲内で種々変更して実施することが可能である。例えば、前記実施形態では、制御部１４を対象物Ｔに押し付けることによってエアゾールバルブ１２を開いているが、基部１３を押し下げる指掛け部などを設け、基部１３を直接押し下げるようにしても良い。また、前記実施形態ではノズル内の空洞の断面形状は円形であるが、矩形や三角形など、種々の形態を採用することができる。
【符号の説明】
【００６０】
１０  吐出部材
１１  エアゾール容器
１１ａ  容器本体
１２  エアゾールバルブ
１３  基部
１４  制御部
１４ａ  通路
１４ｂ  墳孔
１５  ステム
１６  装着部
１７  スカート
１８  吐出口
２０  吐出部材
２１  定量ユニット
２２  筒体
２２ａ  上底部
２２ｂ  接続部
２２ｃ  環状突起部
２２ｄ  側壁部
２２ｅ  返し
２３  弁体
２３ａ  装着部
２３ｂ  フランジ部
２３ｃ  突起部
２３ｄ  連通路
２４  弾性体
２５  カバー部材
２６  肩カバー
２７  キャップ
２７ａ  上底部
３０  カバー部材
３１  肩カバー
３２  防護壁
３３  支持壁
３３ａ  支持部
３４  底板
３５  吐出部材
４０  吐出部材
Ｅ  貯留室
Ｘ  氷結物
Ｔ  対象物
【図１】
2017214136.tif 000003
【図２】
2017214136.tif 000004
【図３】
2017214136.tif 000005
【図４】
2017214136.tif 000006
【図５】
2017214136.tif 000007
【図６】
2017214136.tif 000008